(57)【要約】【課題】鉛筆やボールペン等に代表される棒状物の包装作業を容易にすると共に、種々デザインを施すことができ、しかも、宣伝効果等を上げることができるノベルチィ用の包装体として好適な棒状物の包装体を提供する。【解決手段】前記第１および第２から成る包装紙体１ａ，１ｂの一方に切り込み部１１が形成されると共に、他方に前記切り込み部１１に挿入可能な差し込み片１２が一体に形成され、前記各包装紙体１ａ，１ｂを谷折り線ａを介して二つ折りに閉じた状態において、前記切り込み部１１に対する前記差し込み片１２の挿入により、包装状態が保持できるように構成した棒状物の包装体であって、前記第１および第２からなる包装紙体１ａ，１ｂの開動作によって、前記各包装紙体を面一状に展開した場合、棒状物を保持固定する保持部３及び固定部７が形成された包装紙体１ａと谷折り線ａを介して相対向した包装紙体１ｂに、所定事項が記載された表示部１３が設けられている。【選択図】　　　図１
2004106877.tif 000002
【特許請求の範囲】
【請求項１】
谷折り線を介して二つ折りに開閉可能な第１および第２の包装紙体と、前記第１、第２の包装紙体のいずれかに形成された棒状物の軸筒を保持する保持部と該棒状物の先端部を固定する固定部とを備え、
前記第１および第２から成る包装紙体の一方に切り込み部が形成されると共に、他方に前記切り込み部に挿入可能な差し込み片が一体に形成され、前記各包装紙体を谷折り線を介して二つ折りに閉じた状態において、前記切り込み部に対する前記差し込み片の挿入により、包装状態が保持できるように構成した棒状物の包装体であって、
前記第１および第２からなる包装紙体の開動作によって、前記各包装紙体を面一状に展開した場合、前記保持部及び固定部が形成された包装紙体と谷折り線を介して相対向した包装紙体に、所定事項が記載された表示部が設けられていることを特徴とする棒状物の包装体。
【請求項２】
前記保持部及び固定部が形成された包装紙体と谷折り線を介して相対向した包装紙体に、保持固定された棒状物を視認可能な開口部が形成されていることを特徴とする請求項１に記載された棒状物の包装体。
【請求項３】
前記保持部及び固定部が形成された包装紙体と谷折り線を介して相対向した包装紙体に、カードを係止するスリットが形成されていることを特徴とする請求項１または請求項２に記載された棒状物の包装体。
【発明の詳細な説明】
【０００１】
【発明の属する技術分野】
この発明は、例えば鉛筆やボールペン等に代表される棒状物を包装するために用いられる棒状物の包装体に関し、特に、年賀、お祝い、挨拶、各種ギフト等のノベルチィ用の包装体として好適な棒状物の包装体に関する。
【０００２】
【従来の技術】
従来から、年賀、お祝い、挨拶等において粗品の進呈がなされ、この粗品に筆記具等が一般的に用いられている。また、自己商品の販売促進用の粗品としても、筆記具等が用いられている。このような粗品として筆記具を用いる場合には、筆記具は一般的に箱状の包装体に収納されている。
【０００３】
この箱状の包装体の一例について、図１９に基づいて説明する。図において、符号５１で示された筆記具包装体は、その外観が紙製の角形箱体によって形成されている。この筆記具包装体５１は、粗品としての筆記具５２を挿抜可能に収容する無底角筒状の本体５３と、この本体５３の両開口部を開閉する二つの蓋体５４，５５とを備えている。前記蓋体５４，５５には、前記本体５３の両開口部内に差し込み可能な折曲片５４ａ，５５ａが形成されている。
【０００４】
また、前記筆記具包装体５１は、前記本体５３内に筆記具５２を保持する保持片５６と、前記本体５３を前記蓋体５４，５５と共に開閉する補助蓋５７とを備えている。前記筆記具包装体５１には、前記保持片５６によって保持された筆記具５２を視認可能な開口窓５８が前記本体５３および前記蓋体５４に跨って形成されている。
【０００５】
このような筆記具包装体において、本体５３内の筆記具５２を外部に取り出すには、蓋体５４の折曲片５４ａを本体５３から引き抜いて本体５３を開口し、次に筆記具５２の保持片５６に対する保持状態を解除しながら、本体５３外に筆記具５２を引き抜くことにより行う。
【０００６】
一方、本体５３内に筆記具５２を収容保持（包装）するには、本体５３内に開口部から筆記具５２を挿入しながら保持片５６に形成された軸筒保持用の開口に筆記具の軸筒を挿入することにより筆記具５２を保持せしめ、次に蓋体５４の折曲片５４ａを本体５３内に差し込んで本体５３（開口部）を閉塞する操作が必要となる。
【０００７】
【特許文献１】
実開昭６１−７４５７９号公報（明細書第３頁第２行〜第６頁第７行、第５図）
【０００８】
【発明が解決しようとする課題】
ところで、この粗品として筆記具を用いる場合、前記したような筆記具を箱状の包装体の内部に収容したものが一般的に用いられているが、そのおもて面には「粗品」と記載される程度で、あいさつ文、自己商品の説明文等を記載できるスペースがなく、記載することができなかった。
しかも、前記包装体は画一的な箱状であるため、粗品を受け取る者にインパクトを与えるものでなかった。また、この包装体の形状をインパクトを与えるような特殊な形状にすると、包装体がかなり高価なものになるという課題があった。更に、包装体が箱状の場合、筆記具の包装作業に時間がかかるという問題があった。
【０００９】
この発明は、このような課題を解決するためになされたもので、鉛筆やボールペン等に代表される棒状物の包装作業を容易にすると共に、種々デザインを施すことができ、しかも、宣伝効果等を上げることができるノベルチィ用の包装体として好適な棒状物の包装体を提供することを目的とするものである。
【００１０】
【課題を解決するための手段】
前記した目的を達成するためになされたこの発明に係る棒状物の包装体は、谷折り線を介して二つ折りに開閉可能な第１および第２の包装紙体と、前記第１、第２の包装紙体のいずれかに形成された棒状物の軸筒を保持する保持部と該棒状物の先端部を固定する固定部とを備え、前記第１および第２から成る包装紙体の一方に切り込み部が形成されると共に、他方に前記切り込み部に挿入可能な差し込み片が一体に形成され、前記各包装紙体を谷折り線を介して二つ折りに閉じた状態において、前記切り込み部に対する前記差し込み片の挿入により、包装状態が保持できるように構成した棒状物の包装体であって、前記第１および第２からなる包装紙体の開動作によって、前記各包装紙体を面一状に展開した場合、前記保持部及び固定部が形成された包装紙体と谷折り線を介して相対向した包装紙体に、所定事項が記載された表示部が設けられていることを特徴としている。
【００１１】
このように、第１、第２の包装紙体のいずれかに棒状物の軸筒を保持する保持部と該棒状物の先端部を固定する固定部が形成されているため、棒状物を包装体にしっかりと固定できる。
また、前記各包装紙体を谷折り線を介して二つ折りに閉じた状態において、前記切り込み部に対する前記差し込み片の挿入により、包装状態が保持できるように構成されているため、棒状物の包装作業を容易になすことができる。
【００１２】
更に、谷折り線を介して二つ折りに開閉可能な第１および第２の包装紙体によって構成されているため、第１、第２の包装紙体のいずれか、あるいは両方の形状を容易にしかもコスト的に安価に、種々の形状になすことができる。例えば、「招き猫」のようなデザインを施すことができる。
更にまた、前記保持部及び固定部が形成された包装紙体と谷折り線を介して相対向した包装紙体に、所定事項が記載された表示部が設けられているため、挨拶文、自己の商品の説明文、カレンダー等を記載することができ、宣伝効果等を上げることができ、ノベルチィ用の包装体として好適である。
【００１３】
ここで、前記保持部及び固定部が形成された包装紙体と谷折り線を介して相対向した包装紙体に、保持固定された棒状物を視認可能な開口部が形成されていることが望ましい。
このように開口部が設けられているため、棒状物の内容を容易に確認することができる。
【００１４】
更に、前記保持部及び固定部が形成された包装紙体と谷折り線を介して相対向した包装紙体に、カードを係止するスリットが形成されていることが望ましい。
このように、スリットが形成されているため、名刺などを包装体に固定でき、宣伝効果等を上げることができ、ノベルチィ用の包装体として好適である。
【００１５】
【発明の実施の形態】
以下、この発明にかかる包装体について、図に示す実施の形態に基づいて説明する。図１乃至図６は、その第１の実施の形態を示したものであり、図１は包装体の展開状態を示した図（包装体の正面図）である。図２は、図１の背面図である。図３は図１に示された包装体に筆記具が保持された状態を示す図である。図４は図１に示された包装体に筆記具が収容された状態を示す図である。図５（ａ）は、この包装体の左側面図、（ｂ）は右側面図、図６（ａ）はこの包装体の平面図、（ｂ）は底面図を示している。
【００１６】
図１、図２、図５、図６に示すように、符号１で示す包装体は、多少腰の強い１枚の厚紙により構成されており、図１に示すように、そのほぼ中央部には谷折り線ａを介して二つ折りに開閉可能な第１および第２から成る包装紙体１ａ，１ｂが形成されている。
前記第１の包装紙体１ａには、棒状物に代表される筆記具２を着脱可能に保持するための保持部３が形成されている。この保持部３は谷折り線ａと直交する二条のスリット４，５によって形成される。
【００１７】
この保持部３の長手方向の中央部には前記谷折り線ａと平行に山折り線３ａが形成されている。また同様に、この保持部３の長手方向の端部には前記谷折り線ａと平行に山折り線３ｂが形成されている。
そして、前記二条のスリット４，５に挟まれた保持部３の裏面を押し上げることにより、保持部３の裏面と、第１の包装紙体１ａに表面の間において、挿通部６が形成される。この構成により、筆記具２の軸筒を挿通部６に挿入することで、保持部３によって、筆記具２の軸筒を保持することができる。
【００１８】
また、前記保持部３の下方には、筆記具２の先端部を固定する固定部７が形成されている。この固定部７は、門形の二条のスリット８，９と折曲げ線１０によって形成される。
この二条のスリット８、９の間の固定片７ａの裏面を押し上げることにより立設させる。更にスリット９の間の挿通片７ｂが折り曲げられることによって、固定片７ａに貫通穴７ｃが形成される。
そして、前記貫通穴７ｃに筆記具２の先端部が挿通することにより、前記筆記具２は、固定片７ａに係止され固定される。
【００１９】
また、前記した第１および第２から成る包装紙体１ａ，１ｂの一方、すなわち、図１に示す状態において、包装紙体１ａ側の自由端近傍には前記谷折り線ａにほぼ平行するように切り込み部１１が形成されている。また、包装紙体１ｂ側の自由端には、前記谷折り線ａを介して包装紙体１ａ，１ｂを閉じた状態において、前記切り込み部８に挿入可能な差し込み片１２が包装紙体１ｂに一体に形成されている。
【００２０】
また、前記第２の包装紙体１ｂには、所定事項が記載された表示部１３が形成されている。具体的には、カレンダーが印刷されている。また、前記第２の包装紙体１ｂには、外部から包装体内部に収容された筆記具２を視認することができるように、開口部１４が設けられている。
なお、表示部１３にカレンダーが印刷された場合を示したが、目的に合わせて、お祝い文、挨拶文、自己商品説明文等を記載しても良い。また、図２に示すように、前記第２の包装紙体１ｂの背面には、梅の絵柄１５および「お年賀」という文字１６が印刷されている。これら絵柄、文字も目的に合わせて変更することができる。更に、第１の包装紙体１ａの背面には、矩形形状の枠１７が印刷され、粗品を提供する者の氏名、住所を記載できるように構成されている。
【００２１】
前記した構成によると、図３に示すように筆記具２の軸筒を保持部３で保持し、筆記具２の先端部を固定部７に固定した状態で、第１および第２の包装紙体１ａ，１ｂを、その中央部に形成した谷折り線ａを利用して閉じる。
そして、図４に示すように一方の包装紙体１ａに施された前記した切り込み部１１に対して、他方の包装紙体１ｂに形成された差し込み片１２を挿通させることにより、第１および第２の包装紙体１ａ，１ｂはその展開が阻止され、包装状態が維持される。そして、この包装状態で粗品として手渡す。
【００２２】
また、粗品を受け取った者は、図４に示した包装状態において、前記差し込み片１２を切り込み部１１から引き抜くことで、前記包装紙体１ａ，１ｂを展開させることが可能となる。
この状態で、中央部に施された前記谷折り線ａを介して包装紙体１ａ，１ｂを面一状に展開させると、包装状態にされていた筆記具２は、図３に示すように露出されるので、容易にこれを取り外すことができる。
しかも、前記包装紙体１ａ，１ｂを展開した場合には、見開き状態となり、当該部分に前記カレンダーが記載されているため、お年賀としては最適である。また、当該部分に、例えば自己商品の宣伝、あるいはアンケート文等も印刷しておくことが可能であり、一層セールスプロモーション効果を上げることができる。
【００２３】
次に、この発明にかかる包装体の第２の実施形態について説明する。図７乃至図１２は、その第２の実施の形態を示したものであり、図７は包装体の展開状態を示した図（包装体の正面図）である。図８は、図７の背面図である。図９は図６に示された包装体に筆記具が保持された状態を示す図である。図１０は図７に示された包装体に筆記具が収容された状態を示す図である。図１１（ａ）は、左側面図、（ｂ）は右側面図、図１２（ａ）は平面図、（ｂ）は底面図を示している。なお、第１の実施形態と同一あるいは相当するものには、同一符号を付して、その説明は省略する。
【００２４】
この実施形態は、図７に示すように、そのほぼ中央部には谷折り線ａを介して二つ折りに開閉可能な第１および第２の包装紙体２０ａ，２０ｂのうち、第２の包装体２０ｂを「招き猫」の形状になすと共に、図８に示すような「招き猫」の絵柄を印刷した点に特徴がある（図８参照）。
このように、包装紙体の形状を変えることによって、容易に包装体のデザインを変更することができる。
なお、この実施形態にあっては、第２の包装紙体２０ｂの形状を「招き猫」の形状にしたが、第１の包装紙体２０ａの形状も「招き猫」の形状にしても良い。
また、この実施形態にあっては、スリット４、５は谷折り線ａまで延設されていない。即ち、スリット４、５の端部には山折り線３ｃが形成されている。
【００２５】
次に、この発明にかかる包装体の第３の実施形態について説明する。図１３乃至図１８は、その第３の実施の形態を示したものであり、図１３は包装体の展開状態を示した図（包装体の正面図）である。図１４は、図１３の背面図である。図１５は図１３に示された包装体にカードが係止された状態を示す図である。図１６は図１３に示された包装体に筆記具が収容された状態を示す図である。図１７（ａ）は、左側面図、（ｂ）は右側面図、図１８（ａ）は平面図、（ｂ）は底面図を示している。なお、第１の実施形態と同一あるいは相当するものには、同一符号を付して、その説明は省略する。
【００２６】
この実施形態は、図１３に示すように、そのほぼ中央部には谷折り線ａを介して二つ折りに開閉可能な第１および第２から成る包装紙体３０ａ，３０ｂのうち、第２の包装体１ｂに名刺等のカードを保持するスリット３１ａ、３１ｂが形成されている点に特徴がある。
このように、第２の包装体１ｂにスリット３１ａ、３１ｂが形成されているため、図１６に示すように名刺等のカード３２を係止させた状態で、粗品を配布することができる。
なお、この実施形態にあっては、カードとして名刺の場合を説明したが、自己の商品を説明したカード、挨拶文等記載したカード等であっても良い。
【００２７】
なお、以上においてはこの発明にかかる包装体によって、鉛筆あるいはボールペン等の筆記具を包装する例にしたがって説明しているが、この発明にかかる包装体は、外形形状が棒状になされた例えば修正ペンや固形のり、さらには化粧品等の包装にも適用することができる。
【００２８】
【発明の効果】
以上の説明で明らかなとおり、本発明によれば鉛筆やボールペン等に代表される棒状物の包装作業を容易にすると共に、種々デザインを施すことができ、しかも、宣伝効果等を上げることができるノベルチィ用の包装体として好適な棒状物の包装体を得ることができる。
【図面の簡単な説明】
【図１】図１は、本発明の第１の実施形態にかかる包装体の展開状態を示した図（包装体の正面図）である。
【図２】図２は、図１に示された包装体の背面図である。
【図３】図３は、図１に示された包装体に筆記具が保持された状態を示す図である。
【図４】図４は、図１に示された包装体に筆記具が収容された状態を示す図である。
【図５】図５（ａ）は図１に示された包装体の左側面図、（ｂ）は図１に示された包装体の右側面図である。
【図６】図６（ａ）は図１に示された包装体の平面図、（ｂ）は図１に示された包装体の底面図である。
【図７】図７は、本発明の第２の実施形態にかかる包装体の展開状態を示した図（包装体の正面図）である。
【図８】図８は、図７に示された包装体の背面図である。
【図９】図９は、図７に示された包装体に筆記具が保持された状態を示す図である。
【図１０】図１０は、図７に示された包装体に筆記具が収容された状態を示す図である。
【図１１】図１１（ａ）は図７に示された包装体の左側面図、（ｂ）は図７に示された包装体の右側面図である。
【図１２】図１２（ａ）は図７に示された包装体の平面図、（ｂ）は図７に示された包装体の底面図である。
【図１３】図１３は本発明の第３の実施形態にかかる包装体の展開状態を示した図（包装体の正面図）である。
【図１４】図１４は、図１３に示された包装体の背面図である。
【図１５】図１５は図１３に示された包装体に筆記具が保持された状態を示す図である。
【図１６】図１６は図１３に示された包装体にカードが係止された状態を示す図である。
【図１７】図１７（ａ）は、図１３に示された包装体の左側面図、（ｂ）は図１３に示された包装体の右側面図である。
【図１８】図１８（ａ）は図１３に示された包装体の平面図、（ｂ）は図１３に示された包装体の底面図である。
【図１９】図１９は、従来の筆記具包装体の一例を示す斜視図である。
【符号の説明】
１，２０，３０　　　　　　　包装体
１ａ，１ｂ，２０ａ　，２０ｂ，３０ａ，３０ｂ　包装紙体
２　　　　　　　　　　　　　筆記具（棒状物）
３　　　　　　　　　　　　　保持部
４，５　　　　　　　　　　　スリット
６　　　　　　　　　　　　　挿通部
７　　　　　　　　　　　　　固定部
１１　　　　　　　　　　　　切り込み部
１２　　　　　　　　　　　　差し込み片
１３　　　　　　　　　　　　表示部
３１ａ　　　　　　　　　　　スリット
３１ｂ　　　　　　　　　　　スリット
３２　　　　　　　　　　　　カード
ａ　　　　　　　　　　　　　谷折り線
【図１】
2004106877.tif 000003
【図２】
2004106877.tif 000004
【図３】
2004106877.tif 000005
【図４】
2004106877.tif 000006
【図５】
2004106877.tif 000007
【図６】
2004106877.tif 000008
【図７】
2004106877.tif 000009
【図８】
2004106877.tif 000010
【図９】
2004106877.tif 000011
【図１０】
2004106877.tif 000012
【図１１】
2004106877.tif 000013
【図１２】
2004106877.tif 000014
【図１３】
2004106877.tif 000015
【図１４】
2004106877.tif 000016
【図１５】
2004106877.tif 000017
【図１６】
2004106877.tif 000018
【図１７】
2004106877.tif 000019
【図１８】
2004106877.tif 000020
【図１９】
2004106877.tif 000021